(57)【要約】【課題】昔の人々が毎日当たり前のようにお灯明をあげ、故人を敬う気持ちで家内安全を祈ったように、故人を偲び霊を弔う気持ちを日常的により手軽で頻繁に実感をこめて表せるツールを提供することを目的とする。【解決手段】携帯型の墓碑(位牌)１において、携帯型の墓碑１はディスプレー部３を有し、ディスプレー部３は開閉可能であり、ディスプレー部３を開いた状態では墓碑の形状となり、ディスプレー部３を閉じた状態では直方体状の形状となり、携帯電話としての機能を備える。【選択図】図１
2007109006.tif 000002
【特許請求の範囲】
【請求項１】
携帯型の墓碑において、通信機能を備えることを特徴とする携帯型の墓碑。
【請求項２】
携帯型の墓碑において、任意の人達の間で葬儀等に参加が困難であっても、前記携帯型の墓碑を用いて、どこからでも通信を通じて故人の葬儀、法事に参加できることを特徴とする携帯型の墓碑。
【請求項３】
携帯型の墓碑において、親兄弟、親族間で通信範囲を限定し、前記携帯型の墓碑に組み込まれたソフトにより、墓参、供養にともなう様々なサービスを提供し、参加困難者にもさながら参加、参列したかのような実感を与え、ひいては通信者間の絆をより一層堅固にすることができることを特徴とする携帯型の墓碑。
【請求項４】
携帯型の墓碑において、
待ち受け画面は日本の四季折々の風景を背景にした「〇〇家之墓」が表示される、又は
読経が流れる、又は
戒名が表示される、又は
家紋が表示され、機能メニューとして〇〇家の系図が表示される、又は
故人の生年月日、死亡年月日が表示される、又は
故人の経歴が表示される、又は
故人の生前の写真が表示される、又は
故人の趣味が表示される、又は
故人の肉声による家族や友人への思いが音声として流れる、又は文章として表示される、又は
親族、友人からの故人の思い出や感謝の気持ちが音声として流れる、又は文章として表示される、又は
葬式の静止画又は動画が表示される、又は
法事、会食、墓参のお知らせ、伝言が表示される、又は
親族の近況が音声として流れる、又は文章として表示される、又は
法事などに参加できなかった人にも、参加の実感を味わってもらえるよう、実況が音声の遣り取りも可能な動画で表示される、又は
様々な宗教、宗派に対応した着信音が流れる、又は
宗派に対応した仏教やキリスト教等の知識、葬儀、法事等の基礎知識が音声として流れる、又は文章として表示される、又は
名僧の法話が音声として流れる、又は文章として表示される
ことを特徴とする携帯型の墓碑。
【請求項５】
携帯型の墓碑において、前記携帯型の墓碑はディスプレー部を有し、前記ディスプレー部は開閉可能であり、前記ディスプレー部を開いた状態では墓碑の形状となり、前記ディスプレー部を閉じた状態では直方体状の形状となり、通信機能を備えることを特徴とする携帯型の墓碑。
【請求項６】
携帯電話としての機能を備えることを特徴とする請求項５に記載の携帯型の墓碑。
【発明の詳細な説明】
【技術分野】
【０００１】
本発明は、個人が携帯できる携帯型の墓碑(位牌)に関するものである。
【背景技術】
【０００２】
近年、多くの人達が故郷を離れて都会へと出て行く。少子化の傾向もあいまって、地方では過疎化の現象が甚だしい。これは、先祖伝来の家や土地、お墓を守ることさえままならず、荒廃した風景は何ものにも代えがたい親兄弟親族の絆も奪い、いたるところで日本の文化や精神が消滅の危機に瀕していることを物語っている。
【０００３】
誰しもがお墓に参り、先祖の供養をし親兄弟の情の深さを確認したいと思いつつも、ついつい多忙な日常にからめとられ、いつしか故郷から、お墓から足が遠退いているのが悲しい現状である。
【０００４】
上記問題点の改善策として、例えば、特許文献１では、インターネット上のアドレスに帰属するインターネット上に指定された故人専用のメモリアルサイト領域を設定する手段と、そのサイト上でデザイン等を構築するために画像、音声などのデジタル情報を入力する手段と、入力されたデジタル情報に基づいて所望のメモリアルサイトのデザインを構築するための手段と、故人の予めデジタル化された生前の映像、肉声等の情報を保存しておく手段と、故人に関連する予めデジタル化された家系、親族、友人等の個人的情報を記憶する手段とを備えることを特徴とする故人の生前の願望を仮想空間上に実現するためのインターネット上における仮想霊園サービスシステムが提案されている。
【０００５】
上記方法によればインターネット上の仮想霊園サービスを利用することにより、故人の生前からの夢や故人が生前成し遂げられなかったことについて、仮想霊園サービスにおける仮想空間上での実現を可能とし、故人が生前に愛した物、ペット等との共存など、故人にとって、従来の物理的な墓地ではなし得なかった自由な自己表現が手軽かつローコストで実現可能である。しかし、この方法では、パーソナルコンピュータ（ＰＣ）や通常の携帯電話などの端末によりアクセスするため、お墓参りの実感が薄いという欠点がある。
【特許文献１】特開２００２−９９６４１号公報
【発明の開示】
【発明が解決しようとする課題】
【０００６】
前述のようにインターネット上の仮想霊園サービスのような発明はあるが、パーソナルコンピュータ（ＰＣ）や通常の携帯電話などの端末によりアクセスするため、お墓参りの実感が薄いという問題点があった。本発明は、上記課題に鑑みなされたものであり、その目的は、昔の人々が毎日当たり前のようにお灯明をあげ、故人を敬う気持ちで家内安全を祈ったように、故人を偲び霊を弔う気持ちを、より実感をこめて表せるツールを提供することにある。
【課題を解決するための手段】
【０００７】
即ち、本発明に係る携帯型の墓碑は、通信機能を備えることを特徴とする。
【０００８】
また、本発明に係る携帯型の墓碑は、任意の人達の間で葬儀等に参加が困難であっても、前記携帯型の墓碑を用いて、どこからでも通信を通じて故人の葬儀、法事に参加できることを特徴とする。
【０００９】
さらに、本発明に係る携帯型の墓碑は、親兄弟、親族間で通信範囲を限定し、前記携帯型の墓碑に組み込まれたソフトにより、墓参、供養にともなう様々なサービスを提供し、参加困難者にもさながら参加、参列したかのような実感を与え、ひいては通信者間の絆をより一層堅固にすることができることを特徴とする。
【００１０】
また、本発明に係る携帯型の墓碑は、
待ち受け画面は日本の四季折々の風景を背景にした「〇〇家之墓」が表示される、又は
読経が流れる、又は
戒名が表示される、又は
家紋が表示され、機能メニューとして〇〇家の系図が表示される、又は
故人の生年月日、死亡年月日が表示される、又は
故人の経歴が表示される、又は
故人の生前の写真が表示される、又は
故人の趣味が表示される、又は
故人の肉声による家族や友人への思いが音声として流れる、又は文章として表示される、又は
親族、友人からの故人の思い出や感謝の気持ちが音声として流れる、又は文章として表示される、又は
葬式の静止画又は動画が表示される、又は
法事、会食、墓参のお知らせ、伝言が表示される、又は
親族の近況が音声として流れる、又は文章として表示される、又は
法事などに参加できなかった人にも、参加の実感を味わってもらえるような動画が表示される、又は
様々な宗教、宗派に対応した着信音が流れる、又は
宗派に対応した仏教やキリスト教等の知識、葬儀、法事等の基礎知識が音声として流れる、又は文章として表示される、又は
名僧の法話が音声として流れる、又は文章として表示される
ことを特徴とする。
【００１１】
さらに、本発明に係る携帯型の墓碑は、前記携帯型の墓碑はディスプレー部を有し、前記ディスプレー部は開閉可能であり、前記ディスプレー部を開いた状態では墓碑の形状となり、前記ディスプレー部を閉じた状態では直方体状の形状となり、ほぼ携帯電話に準じた大きさで、通信機能を備えることを特徴とする。
【００１２】
また、本発明に係る携帯型の墓碑は、さらに携帯電話としての機能を備えることが望ましい。
【発明の効果】
【００１３】
以上により、昔の人々が毎日当たり前のようにお灯明をあげ、故人を敬う気持ちで家内安全を祈ったように、故人を偲び霊を弔う気持ちを日常的により手軽で頻繁に表すことができる。また、また、副次的な効果として、親族間の絆が一層高まることが期待できる。
【発明を実施するための最良の形態】
【００１４】
昔の人達が毎日お灯明をあげていたように、故人を偲び霊を弔う気持ちを日常的に、より手軽で頻繁に表せるツールとして、簡便な手段で実現した。
【実施例１】
【００１５】
普及の迅速性を考えれば、既存の携帯電話をそのまま利用し、アイデアをソフトの開発のみで具現化する方法もある。しかしそれにとどまらず、このアイデアに汎用性をもたせ、独自性、有用性を強調するために、一歩踏み込んで「ミニ墓碑」としての携帯型の墓碑(位牌)１を本発明者は考案した。
【００１６】
すなわち、本発明は１．既存の携帯を利用するソフトの開発。１を敷衍した２．ミニ墓碑型の携帯電話であることを特徴とする。
【００１７】
図１は、本発明の一実施例を表す図である。本実施例に係る携帯型の墓碑(位牌)１はディスプレー部３、ディスプレー部３を開閉可能に固定する本体５からなる。
【００１８】
ディスプレー部３は薄い板状の形状をしている。ディスプレー部３を開閉可能に固定する本体５は直方体状の形状をしている。
【００１９】
形状は携帯電話を発想の基礎におくが、コンパクトで折りたたみ式のミニチュア型の墓碑(位牌)としての形状とする。座りを良くするために、本体５はディスプレー部３より一回り大きくし、ディスプレー部３は携帯電話サイズで、開閉式とする。図２に示すようにディスプレー部３を閉めた状態で本体５と一体となり、全体でコンパクトな直方体になる。大きさはディスプレー部３を縦１０センチメートル×横５センチメートルとする。本体５(接地部分)を縦１０センチメートル×横６センチメートルとする。ディスプレー部３を閉じた状態の高さを２．５センチメートルとする。材質は携帯電話に準ずる。なお、色は供養を意識し派手にしない。
【００２０】
本実施例においては、図１に示すようにディスプレー部３の蓋を立て、お墓型に据えることも可能であり、図２に示すようにディスプレー部３の蓋を格納することで形態としては、すっきりとしたコンパクトな直方体になり、あわせて携帯電話機能も有する。
【００２１】
ディスプレー部３の蓋を立て、お墓型に据えることにより、お墓の形状としては和式に近くなり、携帯型の墓碑(位牌)１の使用者は故人を偲び霊を弔う気持ちを強く持つことができる。なお、形状は和式ではあるが、単純な形状ゆえに、キリスト教その他の宗派にも容易に流用できる汎用性をもつ。
【００２２】
本体５には複数のボタンが設けられており、このボタンにより、携帯電話としての機能を操作することができる。ボタンは一般的な携帯電話と同様の数字ボタンや特定の機能を使用するためのボタンが設けられている。
【００２３】
なお、携帯電話の機能は必須ではないが、後述のように携帯電話の機能を有することにより、様々な点で有用である。
【００２４】
上記、携帯型の墓碑(位牌)１は予め組み込まれたソフトウェアにより、または外部サーバに蓄積されたソフトウェアと通信することにより、あるいはダウンロードされたソフトウェア等により、蓋を開けると富士山などの日本の四季折々の風景を背景とした「〇〇家之墓」といった画面(待ち受け画面)が出るように構成する。また、１．読経が流れる。２．戒名の表示、家紋、〇〇家の系図、故人の生年月日、死亡年月日・故人の経歴、故人の生前の写真、故人の趣味、故人の肉声による家族や友人への思い(文章も)、親族・友人からの故人の思い出や感謝の気持ち(声でも文章でも可)が表示または音声で流れるように構成する。
【００２５】
上記データはサービス業者が入力したデータを各携帯型の墓碑(位牌)１にダウンロードするようにしてもよいし、喪主または代理の者などが入力したデータを各携帯型の墓碑(位牌)１に転送するように構成しても良い。
【００２６】
同様に、携帯型の墓碑(位牌)１は予め組み込まれたソフトウェアにより、または外部サーバに蓄積されたソフトウェアと通信することにより、あるいはダウンロードされたソフトウェアにより、親族間の交流を密にし、絆をいっそう強くするために、法事、会食、墓参の連絡にとどまらず、ごく日常的な通信を可能とする機能をもたせるように構成する。また、葬式の静止画(フォト)動画(ムービー)の配信、法事・会食・墓参等のお知らせ等の伝言機能、親族の近況通信欄(声、文章)、法事などに参加できなかった人も参加の実感を味わってもらえるような、ムービー機能、着信音、祥月命日およびその他の法事を、自動的に会員に知らせるように構成する。さらに、宗派に対応した仏教やキリスト教等の知識、葬儀、法事の基礎知識、名僧の法話なども表示または音声で流れるように構成する。また、動画メールを利用した実況中継機能(音声は相互の通信が可能)も搭載する。
【００２７】
なお、上記ソフトウェアやデータは、携帯電話としての通信機能を利用して容易にダウンロード又は通信が可能である。なお、携帯電話としての機能を有していなくとも通信機能を備えることによりダウンロード又は通信が可能である。
【００２８】
上記のように構成された携帯型の墓碑(位牌)１は以下のように使用される。図１に示すように、ディスプレー部３の蓋を立て、お墓型に据えることにより、和式墓碑の形状となる。任意の人達の間で、葬儀等に参加が困難であっても、この携帯型の墓碑(位牌)１を使用して、どこからでも携帯電話としての通信機能を通じて故人の葬儀、法事に参加することができる
【００２９】
また、親兄弟、親族間で通信範囲を限定し、携帯型の墓碑(位牌)１に組み込まれたソフトウェアにより、墓参、供養にともなう上記で説明したような様々なサービスを提供し、参加困難者にもさながら参加、参列したかのような実感を与え、ひいては通信者間の絆をより一層堅固にすることができる。
【００３０】
本発明では携帯型の墓碑(位牌)１を、ディスプレー部３の蓋を立て、お墓型に据えることにより、和式墓碑の形状とすることができるように工夫してあるため、よりいっそうお墓参りをした実感を与えることができる。
【００３１】
また、通常時には携帯電話として使用することができる。形状も一般の携帯電話と比べて特別大きなものではないため、常時携帯することは苦痛ではなく、携帯電話としての機能を有しているため、携帯電話の代替として持ち歩くことができる。
【００３２】
本実施例によれば、携帯型の墓碑(位牌)を持ち歩くことにより、時間的、空間的に制約されることなく、いつでも擬似的にお墓参りをすることができる。また、副次的な効果として、親族間の絆がいっそう強まることが期待できる。
【実施例２】
【００３３】
図３は、本発明の第２の実施例を表す図である。本実施例に係る携帯型の墓碑(位牌)２１はディスプレー部２３、ディスプレー部２３を開閉可能に固定する本体２５からなる。
【００３４】
ディスプレー部２３は薄い板状の形状をしている。ディスプレー部２３を開閉可能に固定する本体２５は略直方体状の形状をしている。また、ディスプレー部２３を格納する凹部２７を有する。
【００３５】
形状は実施例１と同様、携帯電話を発想の基礎におくが、コンパクトで折りたたみ式のミニチュア型の墓碑(位牌)としての形状とする。座りを良くするために、本体２５はディスプレー部２３より一回り大きくし、ディスプレー部２３は携帯電話サイズで、開閉式とする。図４に示すようにディスプレー部２３を閉めた状態で本体２５と一体となり、全体でコンパクトな略直方体状になる。大きさはディスプレー部２３を縦１０センチメートル×横５センチメートルとする。本体２５(接地部分)を縦１０センチメートル×横６センチメートルとする。ディスプレー部２３を閉じた状態の高さを２．５センチメートルとする。材質は携帯電話に準ずる。なお、実施例１と同様に色は供養を意識し派手にしない。
【００３６】
本実施例においても、図３に示すようにディスプレー部２３の蓋を立て、お墓型に据えることも可能であり、図４に示すようにディスプレー部２３の蓋を格納することで形態としては、すっきりとしたコンパクトな略直方体状になり、あわせて携帯電話機能も有する。
【００３７】
ディスプレー部２３の蓋を立て、お墓型に据えることにより、お墓の形状としては和式に近くなり、携帯型の墓碑(位牌)１の使用者は故人を偲び霊を弔う気持ちを強く持つことができる。なお、形状は和式ではあるが、単純な形状ゆえに、キリスト教その他の宗派にも容易に流用できる汎用性をもつ。
【００３８】
本体２５には複数のボタンが設けられており、このボタンにより、携帯電話としての機能を操作することができる。ボタンは一般的な携帯電話と同様の数字ボタンや特定の機能を使用するためのボタンが設けられている。
【００３９】
なお、携帯電話の機能は必須ではないが、実施例１と同様に携帯電話の機能を有することにより、様々な点で有用である。
【００４０】
上記、携帯型の墓碑(位牌)２１は予め組み込まれたソフトウェアにより、または外部サーバに蓄積されたソフトウェアと通信することにより、あるいはダウンロードされたソフトウェア等により、実施例１と同様の機能とデータを有する。
【００４１】
上記データは実施例１と同様にサービス業者が入力したデータを各携帯型の墓碑(位牌)２１にダウンロードするようにしてもよいし、喪主または代理の者などが入力したデータを各携帯型の墓碑(位牌)２１に転送するように構成しても良い。
【００４２】
なお、上記ソフトウェアやデータは、携帯電話としての通信機能を利用して容易にダウンロード又は通信が可能である。なお、携帯電話としての機能を有していなくとも通信機能を備えることによりダウンロード又は通信が可能である。
【００４３】
上記のように構成された携帯型の墓碑(位牌)２１は以下のように使用される。図３に示すように、ディスプレー部２３の蓋を立て、お墓型に据えることにより、和式墓碑の形状となる。任意の人達の間で、葬儀等に参加が困難であっても、この携帯型の墓碑(位牌)２１を使用して、どこからでも携帯電話としての通信機能を通じて故人の葬儀、法事に参加することができる
【００４４】
また、親兄弟、親族間で通信範囲を限定し、携帯型の墓碑(位牌)２１に組み込まれたソフトウェアにより、墓参、供養にともなう実施例１で説明したような様々なサービスを提供し、参加困難者にもさながら参加、参列したかのような実感を与え、ひいては通信者間の絆をより一層堅固にすることができる。
【００４５】
本発明では携帯型の墓碑(位牌)２１を、ディスプレー部２３の蓋を立て、お墓型に据えることにより、実施例１とは異なった形状の和式墓碑の形状とすることができるように工夫してあり、お墓参りをした実感を与えることができる。
【００４６】
また、通常時には携帯電話として使用することができる。形状も一般の携帯電話と比べて特別大きなものではないため、常時携帯することは苦痛ではなく、携帯電話としての機能を有しているため、携帯電話の代替として持ち歩くことができる。
【００４７】
本実施例によれば、ディスプレー部２３を格納した場合に、よりデザイン的に優れた携帯型の墓碑(位牌)を持ち歩くことになる。そのため、携帯型の墓碑(位牌)を、携帯電話の代替として、よりいっそう持ち歩きやすくなる。
【００４８】
その他、本発明を実施するための最良の構成、形態、方法などは、以上の記載で開示されているが、本発明はこれに限定されるものではない。すなわち、以上の記載は、主に特定の実施例に関して図示され、かつ説明されているが、本発明の技術的思想および目的の範囲から逸脱することなく、以上述べた実施例に対し、材質、形状、数量、その他の構成において、当業者が様々な変形を加えることができる。
【００４９】
従って、以上に開示した材質、形状、数量などを限定した記載は、本発明の理解を容易にするために例示的に記載したものであり、本発明を限定するものではない。そのため、それらの材質、形状、数量などの一部もしくは全部の限定を外した記載は、本発明の技術的範囲に含まれる。
【産業上の利用可能性】
【００５０】
以上のように構成した携帯型の墓碑(位牌)は擬似的な墓碑(位牌)として販売され、また、携帯電話としても使用されるため、産業上の利用可能性がある。
【図面の簡単な説明】
【００５１】
【図１】本発明の携帯型の墓碑(位牌)１の一実施例を示した図である。
【図２】本発明の携帯型の墓碑(位牌)１においてディスプレー部３を閉めた状態を示した図である。
【図３】本発明の第２の実施例である携帯型の墓碑(位牌)２１を示した図である。
【図４】本発明の第２の実施例である携帯型の墓碑(位牌)２１においてディスプレー部２３を閉めた状態を示した図である。
【符号の説明】
【００５２】
１    携帯型の墓碑(位牌)
３    ディスプレー部
５    本体
２１    携帯型の墓碑(位牌)
２３    ディスプレー部
２５    本体
２７    凹部
【図１】
2007109006.tif 000003
【図２】
2007109006.tif 000004
【図３】
2007109006.tif 000005
【図４】
2007109006.tif 000006